(57)【要約】【課題】複数のアンテナを備えた無線基地局において、制御チャネル（ＣＣＨ）情報を送信しても、そのＣＣＨ情報が他の無線基地局の信号によって干渉をうけにくく、そのＣＣＨ情報が他の無線基地局の信号に干渉を与えにくいアンテナを適切なタイミングで選択し、選択したアンテナでＣＣＨ情報を送信する無線基地局、アンテナ制御方法、およびアンテナ制御プログラムを提供する。【解決手段】ＢＣＣＨチャネル情報取得部２１は、他の無線基地局との間でフレーム同期をとる際に、各アンテナごとに、他の基地局が出力している報知チャネル（ＢＣＣＨ）情報を取得する。ＣＣＨ用アンテナ選択部２４は、各アンテナの取得したＢＣＣＨ情報に基づき、ＢＣＣＨ情報を送信した基地局を特定する。ＣＣＨ用アンテナ選択部２４は、特定した基地局の総数が最小のアンテナをＣＣＨ用アンテナとして選択する。【選択図】        図１
2004297527.tif 000002
【特許請求の範囲】
【請求項１】
複数のアンテナを備えた無線基地局であって、
他の無線基地局との間でフレーム同期をとる際に、各アンテナごとに、他の無線基地局が出力している報知チャネル情報を取得する報知チャネル情報取得部と、
前記各アンテナの前記報知チャネル情報の取得状況に基づいて、制御チャネル用アンテナを選択するアンテナ選択部と、
前記選択した制御チャネル用アンテナで、制御チャネル情報を送信する送信制御部とを備えた無線基地局。
【請求項２】
前記アンテナ選択部は、アンテナごとに、前記取得した報知チャネル情報に基づいて、前記報知チャネル情報を出力した無線基地局を特定し、前記特定した無線基地局の総数が最少であるアンテナを前記制御チャネル用アンテナとして選択する、請求項１記載の無線基地局。
【請求項３】
前記報知チャネル情報取得部は、さらに、アンテナごとに、前記報知チャネル情報の取得タイミングを取得し、
前記アンテナ選択部は、アンテナごとに、前記取得した報知チャネル情報に基づいて、前記報知チャネル情報を出力した無線基地局を特定し、前記特定した無線基地局を、前記取得タイミングに基づいて、フレーム同期のとれている無線基地局と、フレーム同期のとれていない無線基地局とに分類し、前記フレーム同期のとれていない無線基地局の総数が最少であるアンテナを前記制御チャネル用アンテナとして選択する、請求項１記載の無線基地局。
【請求項４】
前記アンテナ選択部は、アンテナごとに、前記取得した報知チャネル情報の受信レベルを取得し、前記アンテナごとの取得した受信レベルに応じて、前記制御チャネル用アンテナを選択する、請求項１記載の無線基地局。
【請求項５】
前記アンテナ選択部は、アンテナごとに、前記取得した受信レベルの最大値を特定し、前記最大値が最小であるアンテナを前記制御チャネル用アンテナとして選択する、請求項４記載の無線基地局。
【請求項６】
複数のアンテナを備えた無線基地局におけるアンテナ制御方法であって、
他の無線基地局との間でフレーム同期をとる際に、アンテナごとに、他の無線基地局が出力している報知チャネル情報を取得するステップと、
前記各アンテナの前記報知チャネル情報の取得状況に基づいて、制御チャネル用アンテナを選択するステップと、
前記選択した制御チャネル用アンテナで、制御チャネル情報を送信するステップとを含むアンテナ制御方法。
【請求項７】
前記アンテナを選択するステップは、アンテナごとに、前記取得した報知チャネル情報に基づいて前記報知チャネル情報を出力した無線基地局を特定し、前記特定した無線基地局の総数が最少であるアンテナを前記制御チャネル用アンテナとして選択する、請求項６記載のアンテナ制御方法。
【請求項８】
前記報知チャネル情報を取得するステップは、さらに、アンテナごとに、前記報知チャネル情報の取得タイミングを取得し、
前記アンテナを選択するステップは、アンテナごとに、前記取得した報知チャネル情報に基づいて前記報知チャネル情報を出力した無縁基地局を特定し、前記特定した無線基地局を、前記取得タイミングに基づいて、フレーム同期のとれている無線基地局と、フレーム同期のとれていない無線基地局とに分類し、前記フレーム同期のとれていない無線基地局の総数が最少であるアンテナを前記制御チャネル用アンテナとして選択する、請求項６記載のアンテナ制御方法。
【請求項９】
前記アンテナを選択するステップは、アンテナごとに、前記取得した報知チャネル情報の受信レベルを取得し、前記アンテナごとの取得した受信レベルに応じて、前記制御チャネル用アンテナを選択する、請求項６記載のアンテナ制御方法。
【請求項１０】
前記アンテナを選択するステップは、アンテナごとに、前記取得した受信レベルの最大値を特定し、前記最大値が最小であるアンテナを前記制御チャネル用アンテナとして選択する、請求項９記載のアンテナ制御方法。
【請求項１１】
複数のアンテナを備えた無線基地局におけるアンテナ制御プログラムであって、コンピュータに、
他の無線基地局との間でフレーム同期をとる際に、アンテナごとに、他の無線基地局が出力している報知チャネル情報を取得するステップと、
前記各アンテナの前記報知チャネル情報の取得状況に基づいて、制御チャネル用アンテナを選択するステップと、
前記選択した制御チャネル用アンテナで、制御チャネル情報を送信するステップとを実行させるアンテナ制御プログラム。
【請求項１２】
前記アンテナを選択するステップは、アンテナごとに、前記取得した報知チャネル情報に基づいて、前記報知チャネル情報を出力した無線基地局を特定し、前記特定した無線基地局の総数が最少であるアンテナを前記制御チャネル用アンテナとして選択する、請求項１１記載のアンテナ制御プログラム。
【請求項１３】
前記報知チャネル情報を取得するステップは、さらに、アンテナごとに、前記報知チャネル情報の取得タイミングを取得し、
前記アンテナを選択するステップは、アンテナごとに、前記取得した報知チャネル情報に基づいて前記報知チャネル情報を出力した無線基地局を特定し、前記特定した無線基地局を、前記取得タイミングに基づいて、フレーム同期のとれている無線基地局と、フレーム同期のとれていない無線基地局とに分類し、前記フレーム同期のとれていない無線基地局の総数が最少であるアンテナを前記制御チャネル用アンテナとして選択する、請求項１１記載のアンテナ制御プログラム。
【請求項１４】
前記アンテナを選択するステップは、アンテナごとに、前記取得した報知チャネル情報の受信レベルを取得し、前記アンテナごとの取得した受信レベルに応じて、前記制御チャネル用アンテナを選択する、請求項１１記載のアンテナ制御プログラム。
【請求項１５】
前記アンテナを選択するステップは、アンテナごとに、前記取得した受信レベルの最大値を特定し、前記最大値が最小であるアンテナを前記制御チャネル用アンテナとして選択する、請求項１４記載のアンテナ制御プログラム。
【発明の詳細な説明】
【０００１】
【発明の属する技術分野】
この発明は、無線基地局、無線基地局におけるアンテナ制御方法、および無線基地局におけるアンテナ制御プログラムに関し、特に、複数のアンテナを有し、制御チャネル情報を送信する無線基地局、当該無線基地局のアンテナ制御方法、および当該無線基地局のアンテナ制御プログラムに関する。
【０００２】
【従来の技術】
ＰＨＳ（Ｐｅｒｓｏｎａｌ  Ｈａｎｄｙｐｈｏｎｅ  Ｓｙｓｔｅｍ）などの無線基地局では、非特許文献１に記載されているように、制御チャネル情報と、通話チャネル情報の２種類の情報を移動局との間でやりとりしている。制御チャネル情報とは、制御チャネルを通じて送られる情報であって、無線基地局と移動局との間で、リンクの確立などを行なうために用いられる。通話チャネル情報とは、通話チャネルを通じて送られる情報であって、無線基地局と移動局との間で、ユーザ情報（通話内容）の転送などを行なうために用いられる。
【０００３】
無線基地局では、複数のアンテナを備えており、複数のアンテナを用いて、選択ダイバーシチ通信によって、通話チャネル情報を送受信している。選択ダイバーシチ通信では、受信信号のレベルに応じて、通信用のアンテナを切替える。
【０００４】
以上のように、無線基地局では、複数のアンテナを用いて、選択ダイバーシチ通信により、通話チャネル情報を送受信することによって、移動局へ干渉の少ない通話チャネル情報を送信することができる。
【０００５】
【非特許文献１】
第２世代コードレス電話システム標準規格ＲＣＲ  ＳＴＤ−２８  ４．０版、平成１４年、社団法人  電波産業会
【０００６】
【発明が解決しようとする課題】
ところで、無線基地局では、制御チャネル情報を送信するアンテナは、特定のものに固定されている。これは、制御チャネル情報を送信するアンテナが選択ダイバーシチ通信によって頻繁に切り替ると、移動局側では、受信信号の受信レベルが変動しやすく、その結果、移動局では、受信信号を送信した無線基地局が正しい無線基地局ではないと判断してしまう可能性があるからである。
【０００７】
しかしながら、このように常に同一のアンテナで制御チャネル情報を送信するのも適切ではない。なぜなら、このアンテナの周辺の電波の状況によっては、このアンテナから制御チャネル情報を送信すると、その制御チャネル情報が他の無線基地局の信号によって干渉を受けやすく、その制御チャネル情報が他の無線基地局の信号に干渉を与えやすい場合があるからである。制御チャネル情報が他の無線基地局の信号によって干渉を受けると、この無線基地局では、移動局との間でリンクチャネルの確立ができないことがあり、制御チャネル情報が他の無線基地局の信号に干渉を与えると、他の無線基地局では、移動局との間でリンクチャネルの確立ができないことがある。
【０００８】
それゆえに、この発明の目的は、複数のアンテナを備えた無線基地局において、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信する無線基地局、アンテナ制御方法、およびアンテナ制御プログラムを提供することである。
【０００９】
【課題を解決するための手段】
上記課題を解決するために、本発明に係わる無線基地局は、複数のアンテナを備えた無線基地局であって、他の無線基地局との間でフレーム同期をとる際に、各アンテナごとに、他の無線基地局が出力している報知チャネル情報を取得する報知チャネル情報取得部と、各アンテナの報知チャネル情報の取得状況に基づいて、制御チャネル用アンテナを選択するアンテナ選択部と、選択した制御チャネル用アンテナで、制御チャネル情報を送信する送信制御部とを備える。
【００１０】
好ましくは、アンテナ選択部は、アンテナごとに、取得した報知チャネル情報に基づいて、報知チャネル情報を出力した無線基地局を特定し、特定した無線基地局の総数が最少であるアンテナを制御チャネル用アンテナとして選択する。
【００１１】
好ましくは、報知チャネル情報取得部は、さらに、アンテナごとに、報知チャネル情報の取得タイミングを取得し、アンテナ選択部は、アンテナごとに、取得した報知チャネル情報に基づいて、報知チャネル情報を出力した無線基地局を特定し、特定した無線基地局を、取得タイミングに基づいて、フレーム同期のとれている無線基地局と、フレーム同期のとれていない無線基地局とに分類し、フレーム同期のとれていない無線基地局の総数が最少であるアンテナを制御チャネル用アンテナとして選択する。
【００１２】
好ましくは、アンテナ選択部は、アンテナごとに、取得した報知チャネル情報の受信レベルを取得し、アンテナごとの取得した受信レベルに応じて、制御チャネル用アンテナを選択する。
【００１３】
より好ましくは、アンテナ選択部は、アンテナごとに、取得した受信レベルの最大値を特定し、最大値が最小であるアンテナを制御チャネル用アンテナとして選択する。
【００１４】
また、本発明に係わるアンテナ制御方法は、複数のアンテナを備えた無線基地局におけるアンテナ制御方法であって、他の無線基地局との間でフレーム同期をとる際に、アンテナごとに、他の無線基地局が出力している報知チャネル情報を取得するステップと、各アンテナの報知チャネル情報の取得状況に基づいて、制御チャネル用アンテナを選択するステップと、選択した制御チャネル用アンテナで、制御チャネル情報を送信するステップとを含む。
【００１５】
好ましくは、アンテナを選択するステップは、アンテナごとに、取得した報知チャネル情報に基づいて報知チャネル情報を出力した無線基地局を特定し、特定した無線基地局の総数が最少であるアンテナを制御チャネル用アンテナとして選択する。
【００１６】
好ましくは、報知チャネル情報を取得するステップは、さらに、アンテナごとに、報知チャネル情報の取得タイミングを取得し、アンテナを選択するステップは、アンテナごとに、取得した報知チャネル情報に基づいて報知チャネル情報を出力した無縁基地局を特定し、特定した無線基地局を、取得タイミングに基づいて、フレーム同期のとれている無線基地局と、フレーム同期のとれていない無線基地局とに分類し、フレーム同期のとれていない無線基地局の総数が最少であるアンテナを制御チャネル用アンテナとして選択する。
【００１７】
好ましくは、アンテナを選択するステップは、アンテナごとに、取得した報知チャネル情報の受信レベルを取得し、アンテナごとの取得した受信レベルに応じて、制御チャネル用アンテナを選択する。
【００１８】
より好ましくは、アンテナを選択するステップは、アンテナごとに、取得した受信レベルの最大値を特定し、最大値が最小であるアンテナを制御チャネル用アンテナとして選択する。
【００１９】
また、本発明に係わるアンテナ制御プログラムは、複数のアンテナを備えた無線基地局におけるアンテナ制御プログラムであって、コンピュータに、他の無線基地局との間でフレーム同期をとる際に、アンテナごとに、他の無線基地局が出力している報知チャネル情報を取得するステップと、各アンテナの報知チャネル情報の取得状況に基づいて、制御チャネル用アンテナを選択するステップと、選択した制御チャネル用アンテナで、制御チャネル情報を送信するステップとを実行させる。
【００２０】
好ましくは、アンテナを選択するステップは、アンテナごとに、取得した報知チャネル情報に基づいて、報知チャネル情報を出力した無線基地局を特定し、特定した無線基地局の総数が最少であるアンテナを制御チャネル用アンテナとして選択する。
【００２１】
好ましくは、報知チャネル情報を取得するステップは、さらに、アンテナごとに、報知チャネル情報の取得タイミングを取得し、アンテナを選択するステップは、アンテナごとに、取得した報知チャネル情報に基づいて報知チャネル情報を出力した無線基地局を特定し、特定した無線基地局を、取得タイミングに基づいて、フレーム同期のとれている無線基地局と、フレーム同期のとれていない無線基地局とに分類し、フレーム同期のとれていない無線基地局の総数が最少であるアンテナを制御チャネル用アンテナとして選択する。
【００２２】
好ましくは、アンテナを選択するステップは、アンテナごとに、取得した報知チャネル情報の受信レベルを取得し、アンテナごとの取得した受信レベルに応じて、制御チャネル用アンテナを選択する。
【００２３】
より好ましくは、アンテナを選択するステップは、アンテナごとに、取得した受信レベルの最大値を特定し、最大値が最小であるアンテナを制御チャネル用アンテナとして選択する。
【００２４】
以上のように、本発明に係わる無線基地局、アンテナ制御方法、およびアンテナ制御プログラムによれば、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信することができる。
【００２５】
【発明の実施の形態】
以下、この発明の実施の形態を図面を参照して詳しく説明する。
【００２６】
［第１の実施形態］
（構成）
図１は、この発明の第１の実施形態に係わる無線基地局の構成を示す機能ブロック図である。この無線基地局は、複数本のアンテナ１ａ〜１ｄと、複数の無線部２ａ〜２ｄと、信号選択部１１と、信号処理部６と、モデム部９と、制御部１０とを備える。
【００２７】
本発明の実施形態では、説明の都合上、アンテナ１ａ、アンテナ１ｂ、アンテナ１ｃ、アンテナ１ｄを、それぞれ第１アンテナ、第２アンテナ、第３アンテナ、第４アンテナと称し、無線部２ａ、無線部２ｂ、無線部２ｃ、無線部２ｄを、それぞれ、第１無線部、第２無線部、第３無線部、第４無線部と称する場合もある。
【００２８】
無線部２ａ〜２ｄは、それぞれ、受信部３ａ〜３ｄと、送信部４ａ〜４ｄと、ＲＳＳＩ検出部５ａ〜５ｄとを備える。
【００２９】
受信部３ａ〜３ｄは、対応するアンテナから受信した高周波信号（ＲＦ信号）をダウンコンバートして、中間周波数の信号（ＩＦ信号）にするととともに、所定の電圧レベルに増幅する。
【００３０】
送信部４ａ〜４ｄは、中間周波数の信号（ＩＦ信号）をアップコンバートして、高周波信号（ＲＦ信号）にするとともに、所定の電圧レベルに増幅して、対応するアンテナへ出力する。
【００３１】
ＲＳＳＩ（Ｒｅｃｅｉｖｅｄ  Ｓｉｇｎａｌ  Ｓｔｒｅｎｇｔｈ  Ｉｎｄｉｃａｔｏｒ）検出部５ａ〜５ｄは、受信したＲＦ信号の受信レベルを検出し、制御部１０に出力する。
【００３２】
信号選択部１１は、制御部１０から指示されたアンテナの系統の送信信号、または受信信号を選択する。すなわち、信号選択部１１は、送信時には、信号処理部６から出力された送信信号を無線部２ａ〜２ｄのうち、指示された無線部に出力する。信号選択部１１は、受信時には、無線部２ａ〜２ｄのうち、指示された無線部からの受信信号を信号処理部６に出力する。
【００３３】
モデム部９は、変調部７と復調部８とを備える。
変調部７は、送信信号に対して、π／４シフトＱＰＳＫ方式の変調処理を施し、変調された信号を信号処理部６に出力する。
【００３４】
復調部８は、信号処理部６で処理された受信信号に対して、π／４シフトＱＰＳＫ方式の復調処理を施し、復調された情報を制御部に出力する。
【００３５】
信号処理部６は、ＰＨＳの規格に従って、同期処理、時分割処理、スクランブル、およびディスクランブルなどの信号処理を実行する。
【００３６】
信号処理部６は、ＴＤＭＡ／ＴＤＤ（Ｔｉｍｅ  Ｄｉｖｉｓｉｏｎ  Ｍｕｌｔｉｐｌｅ  Ａｃｃｅｓｓ  ／  Ｔｉｍｅ  Ｄｉｖｉｓｉｏｎ  Ｄｕｐｌｅｘ）方式に従って、時分割処理を行なう。図２は、ＴＤＭＡ／ＴＤＤ方式のフレームの構成を示す。同図に示すように、ＴＤＭＡ／ＴＤＤ方式では、１つのフレームは、下り（無線基地局→移動端末装置）と上り（移動端末装置→無線基地局）の４対のスロットで構成される。各スロットの長さは、６２５μｓｅｃで２４０ビットであり、１フレームの長さは、５ｍｓｅｃで、８スロットである。基地局側から見ると、下りの４つのスロットは、送信用のスロットであり、上りの４つのスロットは、受信用のスロットである。
【００３７】
４対のスロットのうち、先頭の１対のスロット１は、制御スロットと呼ばれ、制御チャネル（Ｃｏｎｔｒｏｌ  Ｃｈａｎｎｅｌ：以下、ＣＣＨ）情報の通信に用いられる。後続の３対のスロット２〜４は、通話スロットと呼ばれ、通話（情報）チャネル（Ｔｒａｆｆｉｃ  Ｃｈａｎｎｅｌ：以下、ＴＣＨ）情報の通信に用いられる。制御チャネル（ＣＣＨ）情報は、通話チャネルＴＣＨを起動して通話（情報）チャネルを確立するために用いられる。
【００３８】
これらの各スロットの周波数は、必ずしも同一ではない。制御スロットには、制御専用の周波数が利用され、通話スロットでは、多数の通信用周波数の中から空いている周波数が利用される。
【００３９】
再び、図１を参照して、制御部１０は、選択ダイバーシチ通信によって、ＴＣＨ情報を送受信させ、ＣＣＨ情報を受信させる。制御部１０は、ＣＮ比（搬送波電力対雑音電力比）が閾値以下になると、ＣＮ比が最大となる別のアンテナを選択し、選択したアンテナからＴＣＨ情報が送信され、ＴＣＨ情報またはＣＣＨ情報が受信されるように信号選択部１１を制御する。
【００４０】
制御部１０は、他の基地局とフレーム同期をとる際に、各基地局から送信される報知チャネル（Ｂｒｏａｄ  Ｃａｓｔｉｎｇ  Ｃｏｎｔｒｏｌ  Ｃｈａｎｎｅｌ：以下、ＢＣＣＨ）情報を各アンテナおよび無線部で取得させて、その取得状況に応じて、ＣＣＨ情報を送信するアンテナを選択する。
【００４１】
図３は、ＢＣＣＨ情報のデータフォーマットを示す。同図に示すように、ＢＣＣＨ情報は、過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、情報ビットと、誤り検査ビット（ＣＲＣ）とからなる。
【００４２】
過渡応答ランプアンプ（Ｒ）は、送信信号の立ち上がりと立下りの過渡状態をなめらかにするための信号である。スタートシンボル（ＳＳ）は、送信信号の開始を示すための信号である。プリアンブル（ＰＲ）は、受信信号からクロック信号を生成し、基地局と移動局との間で、ビット同期を確立するための信号である。ユニークワード（ＵＷ）は、ワード同期を確立するための信号である。チャネル制御（ＣＩ）は、このスロットがＢＣＣＨとして使用されることを示す。基地局識別符号（ＣＳ−ＩＤ）は、各基地局に割り当てられた符号である。誤り検査ビット（ＣＲＣ）は、生成多項式によって誤りを検出するためのビットである。
【００４３】
各基地局は、１００ｍｓｅｃの周期で、図２に示す送信用の下りのスロット１を用いて、ＢＣＣＨ情報を送信している。各基地局間で、このＢＣＣＨ情報を送出するタイミングが重複していると、各基地局で送信されたＢＣＣＨ情報が干渉しあって、移動局では、正しくＢＣＣＨ情報を取得できないことがある。そこで、各基地局は、所定の周期（たとえば１日のうちの所定の時刻）で、フレーム同期を行っている。すなわち、各基地局は、他の基地局からのＢＣＣＨ情報を取得して、他の基地局のＢＣＣＨを送信するスロットを特定する。そして、各基地局は、複数の基地局からのＢＣＣＨ情報を取得したときには、特定したスロットが複数個できるので、これらのスロットを同期のとれているスロット群（つまり、５ｍｓｅｃ（つまり、８スロット）の整数倍だけ時刻が異なるスロット）と、同期のとれていないスロット群に分類する。各基地局は、同期のとれているスロット群と５ｍｓｅｃ（つまり、８スロット）の整数倍だけ時刻が異なり、かつ干渉レベルの低い空きスロットを検索する。この検索が終了後、各基地局は、次のフレーム同期の時点まで、この検索されたスロットで、ＢＣＣＨ情報を送信しつづける。
【００４４】
次に、図１を参照して、制御部１０の詳細な構成について説明する。制御部１０は、ＢＣＣＨ情報取得部２１と、メモリ２２と、制御スロット特定部２３と、ＣＣＨ用アンテナ選択部２４と、ＣＣＨ情報送信制御部２５とを備える。
【００４５】
メモリ２２には、アンテナごとに、ＣＳ−ＩＤとスロット番号の組合わせが記録される。
【００４６】
ＢＣＣＨ情報取得部２１は、信号選択部１１を制御して、第ｎ（ｎ＝１〜４を順次）アンテナおよび第ｎ無線部の系統からの信号を信号処理部６および復調部８に出力させる。ＢＣＣＨ情報取得部２１は、復調部８から出力される信号から、他の基地局が１００ｍｓｅｃを周期として送出しているＢＣＣＨ情報を取得する。
【００４７】
ＢＣＣＨ情報取得部２１は、取得したＢＣＣＨ情報からＣＳ−ＩＤを抽出し、このＣＳ−ＩＤがまだメモリ２２に書込まれていないときには、このＣＳ−ＩＤと、このＢＣＣＨを取得したスロット番号とをメモリ２２に書込む。図４は、アンテナごとに、抽出されたＣＳ−ＩＤと、スロット番号の例を示す。
【００４８】
第１アンテナについては、スロット番号＝５のスロットでＣＳ−ＩＤ＝３のＢＣＣＨ情報が取得され、スロット番号＝１３のスロットでＣＳ−ＩＤ＝７のＢＣＣＨ情報が取得され、スロット番号＝２５のスロットでＣＳ−ＩＤ＝１０のＢＣＣＨ情報が取得され、スロット番号＝１４９のスロットでＣＳ−ＩＤ＝８のＢＣＣＨ情報が取得される。第２アンテナについては、スロット番号＝５のスロットでＣＳ−ＩＤ＝３のＢＣＣＨ情報が取得され、スロット番号＝２５のスロットでＣＳ−ＩＤ＝１０のＢＣＣＨ情報が取得され、スロット番号＝１４９のスロットでＣＳ−ＩＤ＝８のＢＣＣＨ情報が取得される。第３アンテナについては、スロット番号＝１３３のスロットでＣＳ−ＩＤ＝４のＢＣＣＨ情報が取得される。第４アンテナについては、スロット番号＝５のスロットでＣＳ−ＩＤ＝３のＢＣＣＨ情報が取得され、スロット番号＝１３のスロットでＣＳ−ＩＤ＝７のＢＣＣＨ情報が取得され、スロット番号＝２５のスロットでＣＳ−ＩＤ＝１０のＢＣＣＨ情報が取得され、スロット番号＝１４５のスロットでＣＳ−ＩＤ＝１のＢＣＣＨ情報が取得される。
【００４９】
制御スロット特定部２３は、メモリ２２を参照して、基地局をグループ分けする。すなわち、制御スロット特定部２３は、メモリ２２を参照して、スロット番号の差が８の整数倍である基地局どうしが１つのグループに属し、スロット番号の差が８の整数倍でない基地局どうしが別のグループに属するようにグループ分けする。
【００５０】
図４に示す例では、第１アンテナについては、ＣＳ−ＩＤが３，７，８の基地局は、グループ１に属し、ＣＳ−ＩＤが１０の基地局は、グループ２に属する。第２アンテナについては、ＣＳ−ＩＤが３，８の基地局は、グループ１に属し、ＣＳ−ＩＤが１０の基地局は、グループ２に属する。第３アンテナについては、ＣＳ−ＩＤが４の基地局が、グループ１に属する。第４アンテナについては、ＣＳ−ＩＤが３、７の基地局は、グループ１に属し、ＣＳ−ＩＤが１０，１の基地局は、グループ２に属する。
【００５１】
制御スロット特定部２３は、属する基地局数が最大のグループをフレーム同期のとれているグループとし、その他のグループをフレーム同期のとれていないグループとする。
【００５２】
図４に示す例では、第１アンテナについては、基地局数３のグループ１がフレーム同期のとれているグループとされ、基地局数１のグループ２がフレーム同期のとれていないグループとされる。第２アンテナについては、基地局数２のグループ１がフレーム同期のとれているグループとされ、基地局数１のグループ２がフレーム同期のとれていないグループとされる。第３アンテナについては、基地局数１のグループ１がフレーム同期のとれているグループとされる。第４アンテナについては、グループ１の基地局数も、グループ２の基地局数も２なので、いずれかのグループ、たとえばグループ１がフレーム同期のとれているグループとされ、グループ２がフレーム同期のとれていないグループとされる。
【００５３】
制御スロット特定部２３は、アンテナごとに、フレーム同期のとれているグループに属する基地局のＢＣＣＨ情報を取得したスロットとフレーム同期がとれるスロットを特定する。すなわち、制御スロット特定部２３は、アンテナごとに、フレーム同期のとれているグループに属する基地局のＢＣＣＨ情報を取得したスロットと、スロット番号が８の整数倍だけ相違するスロットのすべてを特定する。
【００５４】
制御スロット特定部２３は、特定したすべてのスロットの受信レベルを取得する。制御スロット特定部２３は、アンテナごとに、受信レベルが最小のスロットを検出し、検出したスロットをそのアンテナの送信用制御スロットとして特定する。
【００５５】
図４に示す例では、スロット番号１３３のスロットが第１アンテナ，第２アンテナ，第４アンテナの制御スロットとして特定され、スロット番号１３のスロットが第３アンテナの制御スロットとして特定される。
【００５６】
ＣＣＨ用アンテナ選択部２４は、アンテナごとに検出された基地局の総数、つまり、メモリ２２に記録されているアンテナごとのＣＳ−ＩＤの総数を算出する。図４の例の場合、第１アンテナについては、ＣＳ−ＩＤの総数は４であり、第２アンテナについては、ＣＳ−ＩＤの総数は３であり、第３アンテナについては、ＣＳ−ＩＤの総数は１であり、第４アンテナについては、ＣＳ−ＩＤの総数は４である。
【００５７】
ＣＣＨ用アンテナ選択部２４は、ＣＳ−ＩＤの総数が最少のアンテナをＣＣＨ用アンテナとして選択する。図４に示す例の場合、ＣＳ−ＩＤの総数が１である第３アンテナ（アンテナ１ｃ）が、ＣＣＨ用アンテナとして選択される。
【００５８】
ＣＣＨ情報送信制御部２５は、一周期（１００ｍｓｅｃ）ごとに、特定した送信用制御スロットにＣＣＨが設定されるように信号処理部６を制御するとともに、特定したＣＣＨ用アンテナの系統で送信用制御スロット内のＣＣＨ情報が処理されて送信されるように、信号選択部１１を制御する。
【００５９】
図４に示す例では、信号処理部６によって、一周期（１００ｍｓｅｃ）ごとに、特定した送信用制御スロット、すなわちスロット番号１３３のスロットにＣＣＨが設定される。これにより、図２における送信用のスロット１が生成される。そして、信号選択部１１によって、信号処理部６から出力された送信用制御スロット内のＣＣＨ情報が、無線部２ｃで処理され、処理された送信用制御スロット内のＣＣＨ情報が第３アンテナ（アンテナ１ｃ）から出力される。
【００６０】
（動作）
図５は、第１の実施形態に係る無線基地局がソフトウエア的に実行するアンテナ制御の動作手順を示すフローチャートである。無線基地局は、フロー図の各ステップを備えるプログラムを図示しないメモリから読み出して実行する。このプログラムは、外部からインストールすることができる。
【００６１】
まず、ＢＣＣＨ情報取得部２１は、信号選択部１１を制御して、第ｎ（ｎ＝１〜４を順次）アンテナおよび第ｎ無線部の系統からの信号を信号処理部６および復調部８に出力させる。ＢＣＣＨ情報取得部２１は、復調部８から出力される信号から、他の基地局が１００ｍｓｅｃを周期として送出しているＢＣＣＨ情報を取得する（ステップＳ５１）。
【００６２】
ＢＣＣＨ情報取得部２１は、取得したＢＣＣＨ情報からＣＳ−ＩＤを抽出し、このＣＳ−ＩＤがまだメモリ２２に書込まれていないときには、このＣＳ−ＩＤと、このＢＣＣＨを取得したスロット番号とをメモリ２２に書込む（ステップＳ５２）。
【００６３】
制御スロット特定部２３は、メモリ２２を参照して、基地局をグループ分けする。すなわち、制御スロット特定部２３は、メモリ２２を参照して、スロット番号の差が８の整数倍である基地局どうしが１つのグループに属し、スロット番号の差が８の整数倍でない基地局どうしが別のグループに属するようにグループ分けする。制御スロット特定部２３は、属する基地局数が最大のグループをフレーム同期のとれているグループとし、その他のグループをフレーム同期のとれていないグループとする。制御スロット特定部２３は、アンテナごとに、フレーム同期のとれているグループに属する基地局のＢＣＣＨ情報を取得したスロットとフレーム同期がとれるスロットを特定する。すなわち、制御スロット特定部２３は、アンテナごとに、フレーム同期のとれているグループに属する基地局のＢＣＣＨ情報を取得したスロットと、スロット番号が８の整数倍だけ相違するスロットのすべてを特定する。制御スロット特定部２３は、特定したすべてのスロットの受信レベルを取得する。制御スロット特定部２３は、アンテナごとに、受信レベルが最小のスロットを検出し、検出したスロットをそのアンテナの送信用制御スロットとして特定する（ステップＳ５３）。
【００６４】
ＣＣＨ用アンテナ選択部２４は、すべてのアンテナについて上述の処理が終了したら（ステップＳ５４）、メモリ２２に記録されているアンテナごとのＣＳ−ＩＤの総数を算出する（ステップＳ５５）。
【００６５】
ＣＣＨ用アンテナ選択部２４は、ＣＳ−ＩＤの総数が最少のアンテナをＣＣＨ用アンテナとして選択する（ステップＳ５６）。
【００６６】
ＣＣＨ情報送信制御部２５は、一周期（１００ｍｓｅｃ）ごとに、特定した送信用制御スロットにＣＣＨが設定されるように信号処理部６を制御するとともに、特定したＣＣＨ用アンテナの系統で送信用制御スロット内のＣＣＨ情報が処理されて送信されるように、信号選択部１１を制御する（ステップＳ５７）。
【００６７】
以上のように、本実施の形態に係わる無線基地局は、他の無線基地局とフレーム同期をとる際に、各アンテナでＢＣＣＨ情報を取得し、このＢＣＣＨ情報中のＣＳ−ＩＤを抽出する。そして、この無線基地局は、抽出したＣＳ−ＩＤの総数が最少のアンテナをＣＣＨ情報を送信するＣＣＨ用アンテナとして選択する。したがって、この無線基地局は、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信することができる。
【００６８】
［第２の実施形態］
（構成）
図６は、この発明の第２の実施形態に係わる無線基地局の構成を示す機能ブロック図である。本実施の形態の構成は、制御部内のＣＣＨ用アンテナ選択部と、メモリ以外は、図１に示す第１の実施形態の構成と共通する。以下では、第１の実施形態と相違する点について説明する。
【００６９】
メモリ３２には、アンテナごとに、ＣＳ−ＩＤとスロット番号の組み合わせに加えて、フレーム同期のとれていないグループの基地局のＣＳ−ＩＤが記録される。
【００７０】
ＣＣＨ用アンテナ選択部３４は、各アンテナについて、フレーム同期のとれていないグループに分類された基地局のＣＳ−ＩＤをメモリ３２に書込む。
【００７１】
ＣＣＨ用アンテナ選択部３４は、アンテナごとのフレーム同期のとれていないグループに属する基地局の総数、つまりメモリ３２に記録されている、アンテナごとのフレーム同期のとれていないグループの基地局のＣＳ−ＩＤの総数を算出する。
【００７２】
図４に示す例では、第１アンテナについては、フレーム同期のとれていないグループに属する基地局の総数は１である。第２アンテナについては、フレーム同期のとれていないグループに属する基地局の総数は１である。第３アンテナについては、フレーム同期のとれていないグループに属する基地局の総数は０である。第４アンテナについては、フレーム同期のとれていないグループに属する基地局の総数は２である。
【００７３】
ＣＣＨ用アンテナ選択部３４は、フレーム同期のとれていないグループに属する基地局の総数、つまり、フレーム同期のとれていないグループの基地局のＣＳ−ＩＤの総数が最少のアンテナをＣＣＨ用アンテナとして選択する。
【００７４】
図４に示す例の場合、、同期のとれていないグループに属する基地局の総数が０である第３アンテナ（アンテナ１ｃ）が、ＣＣＨ用アンテナとして選択される。
【００７５】
（動作）
図７は、第２の実施形態に係る無線基地局がソフトウエア的に実行するアンテナ制御の動作手順を示すフローチャートである。無線基地局は、フロー図の各ステップを備えるプログラムを図示しないメモリから読み出して実行する。このプログラムは、外部からインストールすることができる。
【００７６】
まず、ＢＣＣＨ情報取得部２１は、信号選択部１１を制御して、第ｎ（ｎ＝１〜４を順次）アンテナおよび第ｎ無線部の系統からの信号を信号処理部６および復調部８に出力させる。ＢＣＣＨ情報取得部２１は、復調部８から出力される信号から、他の基地局が１００ｍｓｅｃを周期として送出しているＢＣＣＨ情報を取得する（ステップＳ６１）。
【００７７】
ＢＣＣＨ情報取得部２１は、取得したＢＣＣＨ情報からＣＳ−ＩＤを抽出し、このＣＳ−ＩＤがまだメモリ３２に書込まれていないときには、このＣＳ−ＩＤと、このＢＣＣＨを取得したスロット番号とをメモリ３２に書込む（ステップＳ６２）。
【００７８】
制御スロット特定部２３は、メモリ３２を参照して、基地局をグループ分けする。すなわち、制御スロット特定部２３は、メモリ３２を参照して、スロット番号の差が８の整数倍である基地局どうしが１つのグループに属し、スロット番号の差が８の整数倍でない基地局どうしが別のグループに属するようにグループ分けする。制御スロット特定部２３は、属する基地局数が最大のグループをフレーム同期のとれているグループとし、その他のグループをフレーム同期のとれていないグループとする。制御スロット特定部２３は、アンテナごとに、フレーム同期のとれているグループに属する基地局のＢＣＣＨ情報を取得したスロットとフレーム同期がとれるスロットを特定する。すなわち、制御スロット特定部２３は、アンテナごとに、フレーム同期のとれているグループに属する基地局のＢＣＣＨ情報を取得したスロットと、スロット番号が８の整数倍だけ相違するスロットのすべてを特定する。制御スロット特定部２３は、特定したすべてのスロットの受信レベルを取得する。制御スロット特定部２３は、アンテナごとに、受信レベルが最小のスロットを検出し、検出したスロットをそのアンテナの送信用制御スロットとして特定する（ステップＳ６３）。
【００７９】
ＣＣＨ用アンテナ選択部３４は、フレーム同期のとれていないグループに分類された基地局のＣＳ−ＩＤをメモリ３２に書込む（ステップＳ６４）。
【００８０】
ＣＣＨ用アンテナ選択部３４は、すべてのアンテナについて上述の処理が終了したら（ステップＳ６５）、メモリ３２に記録されている、アンテナごとのフレーム同期のとれていないグループの基地局のＣＳ−ＩＤの総数を算出する（ステップＳ６６）。
【００８１】
ＣＣＨ用アンテナ選択部３４は、フレーム同期のとれていないグループの基地局のＣＳ−ＩＤの総数が最少のアンテナをＣＣＨ用アンテナとして選択する（ステップＳ６７）。
【００８２】
ＣＣＨ情報送信制御部２５は、一周期（１００ｍｓｅｃ）ごとに、特定した送信用制御スロットにＣＣＨが設定されるように信号処理部６を制御するとともに、特定したＣＣＨ用アンテナの系統で送信用制御スロット内のＣＣＨ情報が処理されて送信されるように、信号選択部１１を制御する（ステップＳ６８）。
【００８３】
以上のように、本実施の形態に係わる無線基地局は、他の無線基地局とフレーム同期をとる際に、各アンテナでＢＣＣＨ情報を取得するとともに、このＢＣＣＨ情報を取得したスロット番号を取得する。この無線基地局は、スロット番号より、ＢＣＣＨ情報を送信した無線基地局をフレーム同期のとれているグループと、フレーム同期のとれていないグループに分類し、フレーム同期のとれていないグループに属する無線基地局の総数が最少のアンテナをＣＣＨ情報を送信するＣＣＨ用アンテナとして選択する。したがって、この無線基地局は、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信することができる。
【００８４】
［第３の実施形態］
図８は、この発明の第３の実施形態に係わる無線基地局の構成を示す機能ブロック図である。本実施の形態の構成は、制御部内のＣＣＨ用アンテナ選択部と、メモリと、ＢＣＣＨ情報取得部以外は、図１に示す第１の実施形態の構成と共通する。以下では、第１の実施形態と相違する点について説明する。
【００８５】
メモリ４２には、アンテナごとに、ＣＳ−ＩＤと、スロット番号と、受信レベルの組合わせが記録される。
【００８６】
ＢＣＣＨ情報取得部４１は、信号選択部１１を制御して、第ｎ（ｎ＝１〜４を順次）アンテナおよび第ｎ無線部の系統からの信号を信号処理部６および復調部８に出力させる。ＢＣＣＨ情報取得部４１は、復調部８から出力される信号から、他の基地局が１００ｍｓｅｃを周期として送出しているＢＣＣＨ情報を取得する。
【００８７】
ＢＣＣＨ情報取得部４１は、第ｎ（ｎ＝１〜４）無線部のＲＳＳＩ検出部より、ＢＣＣＨ情報を取得したスロットの受信レベルを取得する。
【００８８】
図９は、アンテナごとに、抽出されたＣＳ−ＩＤと、スロット番号と、受信レベルの例を示す。
【００８９】
第１アンテナについては、スロット番号＝５のスロットでＣＳ−ＩＤ＝３のＢＣＣＨ情報が取得され、その受信レベルが第５レベルであり、スロット番号＝１３のスロットでＣＳ−ＩＤ＝７のＢＣＣＨ情報が取得され、その受信レベルが第４レベルであり、スロット番号＝２５のスロットでＣＳ−ＩＤ＝１０のＢＣＣＨ情報が取得され、その受信レベルが第１レベルであり、スロット番号＝１４９のスロットでＣＳ−ＩＤ＝８のＢＣＣＨ情報が取得され、その受信レベルが第３レベルである。第２アンテナについては、スロット番号＝５のスロットでＣＳ−ＩＤ＝３のＢＣＣＨ情報が取得され、その受信レベルが第３レベルであり、スロット番号＝２５のスロットでＣＳ−ＩＤ＝１０のＢＣＣＨ情報が取得され、その受信レベルが第３レベルであり、スロット番号＝１４９のスロットでＣＳ−ＩＤ＝８のＢＣＣＨ情報が取得され、その受信レベルが第３レベルである。第３アンテナについては、スロット番号＝１３３のスロットでＣＳ−ＩＤ＝４のＢＣＣＨ情報が取得され、その受信レベルが第４レベルである。第４アンテナについては、スロット番号＝５のスロットでＣＳ−ＩＤ＝３のＢＣＣＨ情報が取得され、その受信レベルが第６レベルであり、スロット番号＝１３のスロットでＣＳ−ＩＤ＝７のＢＣＣＨ情報が取得され、その受信レベルが第５レベルであり、スロット番号＝２５のスロットでＣＳ−ＩＤ＝１０のＢＣＣＨ情報が取得され、その受信レベルが第３レベルであり、スロット番号＝１４５のスロットでＣＳ−ＩＤ＝１のＢＣＣＨ情報が取得され、その受信レベルが第３レベルである。
【００９０】
ＢＣＣＨ情報取得部４１は、取得したＢＣＣＨ情報からＣＳ−ＩＤを抽出し、このＣＳ−ＩＤがまだメモリ４２に書込まれていないときには、このＣＳ−ＩＤと、このＢＣＣＨを取得したスロット番号と、受信レベルとをメモリ４２に書込む。
【００９１】
ＣＣＨ用アンテナ選択部４４は、メモリ４２を参照して、アンテナごとの受信レベルの最大値を特定する。図９に示す例では、第１アンテナについては、受信レベルの最大値は第５レベルである。第２アンテナについては、受信レベルの最大値は第３レベルである。第３アンテナについては、受信レベルの最大値は第４レベルである。第４アンテナについては、受信レベルの最大値は第６レベルである。
【００９２】
ＣＣＨ用アンテナ選択部４４は、受信レベルの最大値が最小であるアンテナをＣＣＨ用アンテナとして選択する。
【００９３】
図９に示す例の場合、受信レベルの最大値が最小の第３レベルである第２アンテナ（アンテナ１ｂ）が、ＣＣＨ用アンテナとして選択される。
【００９４】
（動作）
図１０は、第３の実施形態に係る無線基地局がソフトウエア的に実行するアンテナ制御の動作手順を示すフローチャートである。無線基地局は、フロー図の各ステップを備えるプログラムを図示しないメモリから読み出して実行する。このプログラムは、外部からインストールすることができる。
【００９５】
まず、ＢＣＣＨ情報取得部４１は、信号選択部１１を制御して、第ｎ（ｎ＝１〜４を順次）アンテナおよび第ｎ無線部の系統からの信号を信号処理部６および復調部８に出力させる。ＢＣＣＨ情報取得部４１は、復調部８から出力される信号から、他の基地局が１００ｍｓｅｃを周期として送出しているＢＣＣＨ情報を取得する（ステップＳ７１）。
【００９６】
ＢＣＣＨ情報取得部４１は、ＢＣＣＨ情報を取得したスロットの受信レベルを取得する（ステップＳ７２）。
【００９７】
ＢＣＣＨ情報取得部４１は、取得したＢＣＣＨ情報からＣＳ−ＩＤを抽出し、このＣＳ−ＩＤがまだメモリ２２に書込まれていないときには、このＣＳ−ＩＤと、このＢＣＣＨを取得したスロット番号と、受信レベルとをメモリ４２に書込む（ステップＳ７３）。
【００９８】
制御スロット特定部２３は、メモリ４２を参照して、基地局をグループ分けする。すなわち、制御スロット特定部２３は、メモリ４２を参照して、スロット番号の差が８の整数倍である基地局どうしが１つのグループに属し、スロット番号の差が８の整数倍でない基地局どうしが別のグループに属するようにグループ分けする。制御スロット特定部２３は、属する基地局数が最大のグループをフレーム同期のとれているグループとし、その他のグループをフレーム同期のとれていないグループとする。制御スロット特定部２３は、アンテナごとに、フレーム同期のとれているグループに属する基地局のＢＣＣＨ情報を取得したスロットとフレーム同期がとれるスロットを特定する。すなわち、制御スロット特定部２３は、アンテナごとに、フレーム同期のとれているグループに属する基地局のＢＣＣＨ情報を取得したスロットと、スロット番号が８の整数倍だけ相違するスロットのすべてを特定する。制御スロット特定部２３は、特定したすべてのスロットの受信レベルを取得する。制御スロット特定部２３は、アンテナごとに、受信レベルが最小のスロットを検出し、検出したスロットをそのアンテナの送信用制御スロットとして特定する（ステップＳ７４）。
【００９９】
ＣＣＨ用アンテナ選択部４４は、すべてのアンテナについて上述の処理が終了したら（ステップＳ７５）、メモリ４２を参照して、アンテナごとの受信レベルの最大値を特定する（ステップＳ７６）。
【０１００】
ＣＣＨ用アンテナ選択部４４は、受信レベルの最大値が最小であるアンテナをＣＣＨ用アンテナとして選択する（ステップＳ７７）。
【０１０１】
ＣＣＨ情報送信制御部２５は、一周期（１００ｍｓｅｃ）ごとに、特定した送信用制御スロットにＣＣＨが設定されるように信号処理部６を制御するとともに、特定したＣＣＨ用アンテナの系統で送信用制御スロット内のＣＣＨ情報が処理されて送信されるように、信号選択部１１を制御する（ステップＳ７８）。
【０１０２】
以上のように、本実施の形態に係わる無線基地局は、他の無線基地局とフレーム同期をとる際に、各アンテナでＢＣＣＨ情報を取得するとともに、このＢＣＣＨ情報を取得したスロットの受信レベルを取得する。そして、この無線基地局は、受信レベルの最大値が最小のアンテナをＣＣＨ情報を送信するＣＣＨ用アンテナとして選択する。したがって、この無線基地局は、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信することができる。
【０１０３】
［変形例］
本発明は、上記の実施形態に限定されるものではなく、たとえば、以下の変形例も含まれる。
【０１０４】
（１）  受信レベルに関する選択基準
第３の実施形態では、アンテナごとの受信レベルの最大値を算出し、この最大値が最小のアンテナをＣＣＨ用アンテナとして選択したが、これに限定するものではない。
【０１０５】
たとえば、アンテナごとの受信レベルの平均値または最小値を算出し、この平均値または最小値が最小のアンテナをＣＣＨ用アンテナとして選択するものとしてもよい。
【０１０６】
また、アンテナごとの受信レベルの総和を算出し、この総和が最小のアンテナをＣＣＨ用アンテナとして選択するものとしてもよい。この選択基準では、ＣＳ−ＩＤの総数も考慮されている。
【０１０７】
また、アンテナごとの送信用制御スロットの受信レベルを取得し、この受信レベルが最小のアンテナをＣＣＨ用アンテナとして選択してもよい。
【０１０８】
（２）  受信レベルの取得
第３の実施形態において、ＢＣＣＨ情報取得部は、ＢＣＣＨ情報を取得したスロットの受信レベルをＲＳＳＩ検出部から取得するとしたが、この受信レベルの取得の方法について、以下の方法がある。
【０１０９】
たとえば、ＲＳＳＩ検出部が、全スロットの受信レベルを検出してＢＣＣＨ情報取得部に出力するものとしてもよい。あるいは、ＢＣＣＨ情報取得部が、ＢＣＣＨ情報を取得したスロットの一周期（１００ｍｓｅｃ）後に、スロットの受信レベルを検出するようにＲＳＳＩ検出部に指示を送るものとしてもよい。
【０１１０】
（３）  ＣＣＨ情報を受信するアンテナ
第１〜第３の実施形態では、無線基地局は、ＣＣＨ用アンテナを用いて、ＣＣＨ情報を送信し、移動局からのＣＣＨ情報は、選択ダイバーシチで受信するものとしたが、これに限定するものではなく、ＣＣＨ用アンテナを用いて、移動局からのＣＣＨ情報を受信するものとしてもよい。
【０１１１】
（４）  送信用制御スロットの特定
第１〜第３の実施形態では、各アンテナごとに、送信用制御スロットを特定し、その後、ＣＣＨ用アンテナを選択したが、これに限定するものではない。ＣＣＨアンテナを選択してから、このＣＣＨ用アンテナについて、送信用制御スロットを特定するものとしてもよい。
【０１１２】
（５）  選択基準が同一のとき
第１〜第３の実施形態において、いずれのアンテナについても、選択基準（基地局の総数、フレーム同期のとれていない基地局の総数、または受信レベルの最大値）が同一のときには、ＣＣＨ用アンテナ選択部は、所定のアンテナ、たとえば、第１アンテナを常にＣＣＨ用アンテナとして選択するものとしてもよい。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１４】
【発明の効果】
以上のように、この発明によれば、他の無線基地局との間でフレーム同期をとる際に、アンテナごとに、他の基地局が出力している報知チャネル情報を取得し、各アンテナの報知チャネル情報の取得状況に基づいて、制御チャネル用アンテナを選択し、選択した制御チャネル用アンテナで、制御チャネル情報を送信する。これによって、制御チャネル情報を送信しても、その制御チャネル情報が他の無線基地局の信号によって干渉を受けにくく、その制御チャネル情報が他の無線基地局の信号に干渉を与えにくいアンテナを適切なタイミングで選択し、選択したアンテナで制御チャネル情報を送信することができる。
【図面の簡単な説明】
【図１】第１の実施形態に係わる無線基地局の構成を示す機能ブロック図である。
【図２】ＴＤＭＡ／ＴＤＤ方式のフレームの構成を示す図である。
【図３】ＢＣＣＨ情報のデータフォーマットを示す図である。
【図４】アンテナごとに、抽出されたＣＳ−ＩＤと、スロット番号の例を示す図である。
【図５】第１の実施形態に係る無線基地局のＤＳＰがソフトウエア的に実行するアンテナ制御の動作手順を示すフローチャートである。
【図６】第２の実施形態に係わる無線基地局の構成を示す機能ブロック図である。
【図７】第２の実施形態に係る無線基地局のＤＳＰがソフトウエア的に実行するアンテナ制御の動作手順を示すフローチャートである。
【図８】第３の実施形態に係わる無線基地局の構成を示す機能ブロック図である。
【図９】アンテナごとに、抽出されたＣＳ−ＩＤと、スロット番号と、受信レベルの例を示す図である。
【図１０】第３の実施形態に係る無線基地局のＤＳＰがソフトウエア的に実行するアンテナ制御の動作手順を示すフローチャートである。
【符号の説明】
１ａ〜ｄ  アンテナ、２ａ〜ｄ  無線部、３ａ〜ｄ  受信部、４ａ〜ｄ  送信部、５ａ〜ｄ  ＲＳＳＩ検出部、６  信号処理部、７  変調部、８  復調部、９モデム部、１０，３０，４０  制御部、１１  信号選択部、２１，３１，４１ＢＣＣＨ情報取得部、２２，３２，４２  メモリ、２３  制御スロット特定部、２４，３４，４４  ＣＣＨ用アンテナ選択部、２５  ＣＣＨ情報送信制御部。
【図１】
2004297527.tif 000003
【図２】
2004297527.tif 000004
【図３】
2004297527.tif 000005
【図４】
2004297527.tif 000006
【図５】
2004297527.tif 000007
【図６】
2004297527.tif 000008
【図７】
2004297527.tif 000009
【図８】
2004297527.tif 000010
【図９】
2004297527.tif 000011
【図１０】
2004297527.tif 000012